(57)【要約】  下部支柱と、上部支柱と、その間に、カム面を画定する回動可能に取付けられた頭部とを有する調整副子アッセンブリーにおいて、前記下部支柱は、単一の窓を有する内嵌チューブに収容される、荷重ねじ、ばね、及び表面に段階的な連続数字を有するばねスペーサーを備え、前記下部支柱は一連の窓を備える外側下脚チューブを有し、下部支柱の長さに応じて段階的な連続数字が一連の窓の１つの窓及び内嵌チューブの窓に設定されるため、荷重ねじにより付加される張力は外側下脚チューブの特定の窓で読むことが出来る。【選択図】  図１
2007507297.tif 000002
【特許請求の範囲】
【請求項１】
下部支柱と、上部支柱と、その間に、カム面を画定する回動可能に取付けられた頭部とを有する調整副子アッセンブリーであって、
前記下部支柱は、定量可能な力を付加するために、カム面と嵌合するように付勢する調節可能な付勢手段を一端に有し、かつ、荷重ねじ、ばね、及びばねスペーサーを収容する、窓を有する内嵌チューブと、当該内嵌チューブを収容する外側下脚チューブとを含み、
前記ばねスペーサーの表面には段階的な連続数字が印され、
前記内嵌チューブは、前記ばねスペーサーの段階的な連続数字を目視可能とする窓を有し、また前記外側下脚チューブ上には、支柱の長さを調節するために前記内嵌チューブに取付けられる固定手段があり、
前記外嵌チューブは一連の窓を有し、前記荷重ねじが前記ばね及び前記ばねスペーサーに圧力を付加して回動可能に取付けられた頭部に対してカム面を介して順次圧力を付加する際に、各窓に対して、下部支柱の長さに応じて、前記ばねスペーサー上の段階的な連続数字と前記内嵌チューブの窓とを個別に設定可能であり、この機構によって、前記ばねスペーサーの交換を必要とせずに様々な脚の寸法に適用可能なことを特徴とする下部支柱と、上部支柱と、その間に、カム面を画定する回動可能に取付けられた頭部とを有する調整副子アッセンブリー。
【請求項２】
前記固定手段は、前記下部内嵌チューブの孔と嵌合するように固着した嵌合プルラッチを有する前記下脚チューブを含む請求項１に記載の調整副子アッセンブリー。
【請求項３】
前記固定手段は、前記内嵌チューブ上の一連の孔と、前記外側下脚チューブ上の孔と、前記内嵌チューブ及び前記外側下脚チューブの接合に使用可能なねじとを含む請求項１に記載の調整副子アッセンブリー。
【請求項４】
前記上部支柱は、前記外側上脚チューブ内に収容される内側軸棒を有し、前記固定手段は、縦方向に一連の孔を有する前記内側軸棒と、前記内側軸棒に嵌合して前記上部支柱の長さを調節するための前記ラッチを備える前記外側上脚チューブとを含む請求項１に記載の調整副子アッセンブリー。
【請求項５】
患者への副子の快適な適合を確実にするために取付けられるパッドを有する請求項１に記載の調整副子アッセンブリー。
【請求項６】
膝で脚の上下部に対して調整副子装置を取付けるための拘束手段を備えた請求項１に記載の調整副子アッセンブリーを含む拘縮を軽減するための調整副子装置。
【請求項７】
拘縮を軽減するための調整副子装置であって、接合手段により接合され、かつ該調整副子装置を脚及び大腿に効果的に配置可能とする複数の調整副子アッセンブリーを含み、該調整副子装置を形成する各前記調整副子アッセンブリーが、請求項１に記載の調整副子アッセンブリーであることを特徴とする拘縮を軽減するための調整副子装置。
【請求項８】
下部支柱と、上部支柱と、その間に、カム面を画定する回動可能に取付けられた頭部とを有する調整副子アッセンブリーであって、
前記下部支柱は、定量可能な力を付加するために、カム面と嵌合するように付勢する調節可能な付勢手段を一端に有し、かつ、荷重ねじ、ばね、及びばねスペーサーを収容する、窓を有する内嵌チューブと、当該内嵌チューブを収容する外側下脚チューブとを含み、
前記上部支柱は、内側軸棒及び外側上脚チューブを有し、当該外側上脚チューブには、内側チューブの孔に受容されるラッチが取付けられており、
前記ばねスペーサーは表面に段階的な連続数字が印され、
前記内嵌チューブは、前記ばねスペーサーの段階的な連続数字を目視可能とする窓を有し、また前記外側下脚チューブ上には支柱の長さを調節するための前記内嵌チューブの孔に取付けられるラッチ手段があり、
前記外側下脚チューブは一連の窓を有し、前記荷重ねじが前記ばね及び前記ばねスペーサーに圧力を付加して回動可能に取付けられた頭部に対してカム面を介して順次圧力を付加する際に、各窓に対して、下部支柱の長さに応じて、前記ばねスペーサー上の段階的な連続数字と前記内嵌チューブの窓とを個別に設定可能であり、この機構によって、前記ばねスペーサーの交換を必要とせずに様々な脚の寸法に適用可能であることを特徴とする下部支柱と、上部支柱と、その間に、カム面を画定する回動可能に取付けられた頭部とを有する調整副子アッセンブリー。
【発明の詳細な説明】
【技術分野】
【０００１】
本発明は、医療分野での適用性を見出し、関節硬直に運動性をもたらすために役立つ。より詳細には、本発明は、膝、肘、手首、及び指等の体関節での障害の治療に役立つ調整副子に関する。
【背景技術】
【０００２】
個人が、関節、例えば、膝等に拘縮を発現するケースは多数ある。膝の拘縮は、骨折治療、又は靭帯治療等の膝領域の手術後に膝を動かさなかった結果として生じることがある。より詳細には、本発明は、Ｈｅｐｂｕｒｎによる特許文献１〜３で請求される類似の装置について改良するものである。改良点は、添付の図面と共に発明の開示を読むことでより完全に理解されよう。
【０００３】
【特許文献１】米国特許第４３９７３０８号明細書
【特許文献２】米国特許第４４８５８０８号明細書
【特許文献３】米国特許第４５０８１１１号明細書
【発明の開示】
【発明が解決しようとする課題】
【０００４】
本発明の主な目的は、使用に便利な調整副子の製造である。
本発明の他の目的は、分離する部分がより少ない副子の製造である。
本発明の更なる目的は、拘縮を軽減するための定量可能な力の、容易な段階的調整を可能にする副子の製造である。
【０００５】
本発明の概念は、拘縮を軽減するための調整副子装置を対象とする。装置は、拘縮を軽減する必要がある関節、例えば、膝、肘、又は指に適用可能である。本発明の装置は様々な体関節の治療に使用可能であるが、本明細書において開示する本発明は、主に膝を対象として草案されたものである。拘縮軽減用の調整副子様の既存の調整副子に対する本発明の装置の改良点は、装置を分解、及び部品を交換せずに多様な脚の長さに適用可能であることである。部品を交換する必要がないという利便性に加えて、主装置から紛失し得る分離部品がないという利便性もある。
【課題を解決するための手段】
【０００６】
本発明は、概して、下部支柱と、上部支柱と、その間に、カム面を画定する回動可能に取付けられた頭部とを有する調整副子アッセンブリーであり、定量可能な力を付加するために、下部支柱はカム面と嵌合するように付勢する調節可能な付勢手段を一端に有する調整副子アッセンブリーを対象とする。先行技術に対する本副子アッセンブリーの改良点は、下部支柱が、荷重ねじ、ばね、及びばねスペーサーを収容する、窓を有する内嵌チューブと、当該内嵌チューブを収容する外嵌チューブとを備えることである。ばねスペーサー上には、段階的な連続数字が印されている。内嵌チューブは、ばねスペーサーの段階的な連続数字を目視可能とする窓を有し、また内嵌チューブには一連の孔があり、これらの中に外嵌チューブに取付けたラッチを固定して支柱の長さを調節する。ラッチ機構は、ねじ及び孔機構、又はカムクランプ等の他の適切な手段と交換可能である。外側下脚チューブは、ラッチ、及び一連の窓を有し、一連の窓の各窓に対してばねスペーサー上の段階的な連続数字と内嵌チューブの窓とを個別に設定可能であるため、この機構を用いて調整副子アッセンブリーがばねスペーサーを交換する必要がなく様々な脚の寸法に適用可能である。調整副子アッセンブリーの上部支柱は、外側上脚チューブ内に収容される内側軸棒を有し、内側軸棒はその縦方向に一連の孔を有し、外側上脚チューブは内側軸棒孔に嵌合するための嵌合ラッチを備え、支柱の長さが調節可能になる。嵌合プルラッチを固着した調整副子アッセンブリーは、下部内嵌チューブの孔に嵌合可能である。調整副子にはパッドが取り付けられ、患者への副子の快適な適合を確実にし、また、膝で脚の上下部に対して調整副子装置を取付けるための拘束手段が備えられている。拘縮を軽減するための他の調整副子装置を、接合した多数の調整副子アッセンブリーを使用して形成することができる。
【発明を実施するための最良の形態】
【０００７】
図１を参照すると、拘縮を軽減するための調整副子装置１０は、ベルクロ（Ｒ）カフ（ｃｕｆｆ）及び反力ストラップ１４で互いに接合した、一対の調整副子アッセンブリー１２を有する（ベルト等の他の固定手段も使用可能である）。調整可能な、すなわち伸縮可能な各副子アッセンブリー１２は、図８に詳細を示す頭部２４を介して互いに接合される上部（すなわち基端）支柱２０と、下部（すなわち先端）支柱２２とからなる。上部すなわち基端支柱２０は、調節可能な内側伸縮嵌合部２８と、位置決め孔３２を有する縮嵌合部３０（図３に最良に示す）と、内側及び外側伸縮嵌合部（２８,３０）を固定して位置決めするために使用される嵌合ラッチ錠３４（図７に最良に示す）とからなる。下部支柱２２（図３に最良に示す）は、調節可能な内側伸縮嵌合部、すなわち下部内嵌チューブ３６と、下部支柱の内側及び外側伸縮嵌合部（３６，３８）を固定して位置決めする位置決め孔４２と、嵌合ラッチ錠４０を伴う外側伸縮嵌合部、すなわち下脚チューブ３８とからなる。上部及び下部伸縮支柱の両方の機能は、適切に調節して患者の大腿部、及び脚の長さに適応することである。尚、下部支柱の外側伸縮嵌合部３８に、図５及び図６で機能をより詳細に示すゲージ窓４４が設けられる。図１に示すように、快適性及びより効果的な適合とするため、伸縮支柱２０,２２には、クッションパッド２６が設けられる。破線矢印４６及び下部支柱の破線４８（図１）は、上部支柱２０と下部支柱２２との間の回動運動を示す。
【０００８】
図２及び図３を参照すると、先行技術の調整副子アッセンブリー５０（図２）と本明細書に開示する本発明の副子アッセンブリー１２（図３）との比較が示されている。図２を参照すると、伸縮副子アッセンブリー５０は大腿部に当接する基端支柱５４、及び該脚に当接する先端支柱５２を有する。支柱５２の伸縮嵌合部は、内側部材４５、及び外嵌部材４６である。これらの支柱５２及び５４の伸縮嵌合部は、孔６１に挿入される取外可能なねじ５９を使用して位置決めされ、支柱の長さが固定される。これら２つの支柱間には頭部５６があるが、この目的は本明細書を更に読み進むと説明される。尚、図２に示す先端伸縮支柱５２には、ポンド単位の表示線５３を有する一連のばねスペーサー部材５１が供給される。また、伸縮支柱上には、較正目盛りを有するスロット５５も含まれる（不図示）。以下に記述するように、調整ツールであるマイナスドライバー５７を使用してばね張力が付加される際、張力の程度はポンド単位の表示線５３とスロット５５上の較正目盛りの間で設定される。本発明の副子アッセンブリーの先端伸縮支柱（図３）は、先行技術（図２）とは大いに異なる。本発明の装置（図３）において、下部支柱２２の外側伸縮嵌合部すなわち下脚チューブ３８には、ばねスペーサー６２の目盛り６３でそれぞれ個別に設定される４つの窓４４が提供される（図６Ａ及び図６Ｂに最良に示す）。窓及びばねスペーサーのこの配置は、治療する患者の脚の長さに伸縮支柱２２の長さを適切に適合させるものである。尚、先行技術の伸縮支柱は、伸縮支柱５２を適用する様々な肢の長さを収容するために、様々な長さのばね当接部材、すなわちスペーサー５３を適合するようにばねと荷重ねじの間に設けている。本明細書で開示する本発明の装置は、先行技術装置が必要とする一連のばねスペーサー部材５１を避ける設計となっている。本発明の装置は、単一のばねスペーサー部材６２だけを必要とする（図６Ａ〜図６Ｄ）。本発明の装置の価値は、先行技術で必要とされたものとは違い、患者の脚の長さに対する支柱の長さに応じて様々なばねスペーサーを挿入するために装置を分解する必要がないことである。更に、下記により詳細に記述するように（図７）、本発明の装置は、先行技術の取外可能なねじ５９と取って代わる、取付けラッチ４０を有する。取付けラッチは、使用に便利であり、ねじを紛失する可能性を回避する。
【０００９】
図３において、本発明の調整副子アッセンブリー１２は、大腿部に当接する基端支柱２０、脚に当接する先端支柱２２、及びその間に頭部２４を有する。支柱２０の基端端部は、内側部材２８と、上脚チューブすなわち外側部材３０とからなる伸縮嵌合部を有する。また、内側部材２８は軸棒、及び外側部材３０は上脚チューブとも称される。先端支柱２２は外側部材３８及び内側部材３６からなる伸縮嵌合部を有する。外側部材は下脚チューブ、内側部材は下部嵌合チューブとも称される。尚、上部支柱２０は、内側部材２８上に、支柱２０の長さを調節するための嵌合ラッチ３４と共に使用する孔３２を有する。同様に、下部支柱２２は、孔４２を伴う内側部材すなわち下部内嵌チューブ３６と、これらと共に使用されて支柱２２の長さを固定する嵌合ラッチ４０とを有する。調整ツール５７は、荷重ねじ６６を介して荷重ばね６０の張力を調節するために提供され（図８、及び図１０〜図１２）、これは明細書を読み進むと説明される。尚、荷重ねじ６６は、調整ツール５７を受け入れるためのスロット６７（図８）を有する。窓４４の機能もまた、明細書を読み進むと説明される。
【００１０】
図４を参照すると、本発明の二重調整副子１２が分解組立図として図示され、この図は装置を製造するために使用される部品を示す。尚、図４においては、実質的に互いに鏡像である二重副子１２である。使用の際に、均等な張力が調整ツール５７を使用して付加される。左から右に見ると、荷重ねじ６６、荷重ナット６４、ばねスペーサー６２、スペーサー設定ねじ６８、主ねじ９４、ばね６０、チゼル先端５８、窓４４を有する下脚チューブ３８、孔４２を有する内嵌チューブ３６、設定ねじ７２、孔７０、軸棒２８、外側下脚チューブ３８、及び栓蓋１６が図示されている。また、反力ストラップ並びにカフ１４、有翼パッド２６、反力ストラップ並びにカフ１４を保持するためのカフワイヤー１８、及び栓蓋１６も示されている。反力ストラップ及びカフはベロクロ（Ｒ）でできている。有翼パッドは、患者に快適性を提供するためにある。
【００１１】
図３〜図６は、本発明の最も重要な特徴が示されるため特に留意されたい。これらの重要な特徴は、下部すなわち先端支柱２２に見出される。先端支柱２２は、内部すなわち嵌合チューブ３６、及び外部すなわち下脚チューブ３８を有する伸縮嵌合アッセンブリーである。内部３６には順次、チゼル先端５８、圧縮ばね６０、ばねスペーサー６２、荷重ナット６４、及び荷重ねじ６６が挿入される（図４及び図１０に最良に示す）。
【００１２】
図５Ａ〜図５Ｆを特に参照して、先端支柱の複数のゲージ窓を説明する。図５Ａは、下部支柱内嵌チューブ３６上に位置決めされた下脚チューブ３８を図示する(容易に図示するために破断している)。４つのゲージ窓４４が下脚チューブ３８に示されている。目盛り６３は、図６Ａ及び図６Ｂにより詳細を示す。目盛りはゲージ窓４４のうちの１つから見ることができる。尚、下脚チューブ３８は、孔４２受容されるにように取り付け・位置決めされた嵌合ラッチ４０を有し、内嵌チューブ３６に固定される。図５Ｂ〜図５Ｄは、内嵌チューブ３６の構造的な特徴を図示する。図５Ｂは、単一の窓９６及びねじ７２を受容するねじ孔７０を有する内嵌チューブを示す（図１６〜図１８に最良に示す）。図５Ｃは、図５Ｂの内嵌チューブを４分の１回転させた図であり、嵌合ラッチ４０を受容する孔４２を示す。孔４２は、下部支柱の長さを固定するために用いられる。図５Ｄは、図５Ｃの内嵌チューブを４分の１回転させた図であり、ばねスペーサーの主スロット開口９２を示す。図５Ｅは、外嵌チューブ３８内の窓４４を示す図５Ａの断面図である。図５Ｆは、外嵌チューブ３８の正面平面図である。
【００１３】
図６Ａ〜図６Ｄは、ばねスペーサー６２を図示する。図６Ａ及び図６Ｂにおいて、表面に目盛り６３が印刷されたばねスペーサー６２が示されている。図６Ｃ及び図６Ｄを参照すると、略図は、荷重ねじ６６が挿入される開口７４、及びばねスペーサー６２内で荷重ねじ６８を保持するために、荷重ねじ及びばねスペーサー設定ねじ６８（拡大図）が挿入されるねじ孔７６を示す（図６Ｄ、図１３及び図１４に最良に示す）。また、図６Ｃ及び図６Ｄは、図１６〜図１８に最良に示すように、主ねじ９４（拡大図）を受容するねじ孔７８を示す。
【００１４】
図７Ａ及び図７Ｂを参照して、本発明の素晴らしい特徴である嵌合ラッチ４０の分解組立図（図７Ａ）を示す。詳細には、図７Ａは、嵌合ラッチ筐体８２、錠ピンばね８４、ラッチ錠ピン８６、及びプルラッチプランジャー８８を示す。一旦部品が組み立てられると（矢印の方向に）、嵌合ラッチ筐体８２の底部９０は適切なチューブに溶接９１される（図７Ｂ）。上部及び下部嵌合ラッチ筐体４０及び３４は、半径の異なる上脚チューブ３０及び下脚チューブ３８に適合するように僅かに異なる形状である。他のラッチ部分は全て同一である。
嵌合ラッチが本発明の好適な錠手段であれば、技術的に理解される他の錠及び固定手段が使用可能である。
【００１５】
図８は、本発明で使用される頭部２４の詳細図である。嵌合チューブ３６の一部は、張力機構を示すために破断している。張力機構の主要部品は、窪みを有するカム面、チゼル先端５８、ばね６０、ばねスペーサー６２、荷重ねじナット６４、及び荷重ねじ６６である。荷重ねじの端部は、ばねの張力を付加又は軽減するための調整ツール５７を受容するように、ねじ孔６７となっている。先に指摘したように、本発明で使用する頭部２４は、先行技術で使用するものと同じである。矢印は、脚の張力を形成するための内嵌チューブ３６の方向を示す。
【００１６】
調節可能なばね機構は、カム面上のチゼル先端に取付けられたばねからなる。次いで、荷重ねじに当接するばねスペーサーは、チゼル先端をカムに当接させて下部支柱と上部支柱とを一直線に並べる定量可能な力を形成させ関節部に張力を形成して関節の拘縮を軽減する。たわみが最大に達すると圧縮コイルばねで張力が形成される。ばねに対する張力は、荷重ねじを螺合する調整ツールにより形成される。荷重ねじを回転させると、ばねにより大きい圧縮荷重が生成されるため、カム面に対してより大きい力が加えられ、一方向の張力を作り出す。ばね機構の荷重許容範囲は、ばねスペーサー上の目盛りに示すように０ポンド〜１２ポンドの範囲で可能である。
【００１７】
図９は、使用中の調整副子の絵画図である。図９は、患者へ適用した拘縮を軽減する調整副子装置を示す。肢の寸法が異なる患者らに、内部部品を変更する必要がなく適用可能である。必要なのは、適切な支柱の長さを調節することだけである。この簡単な調節により、目盛りは適切な窓で設定される。
【００１８】
図１０〜図１９を参照して、調整副子装置の張力機構の組み立順序を説明する。図１０は、張力機構の部品を示す分解組立図である。組立順序は次の通りである。まず初めに、軸棒及び接合サブアッセンブリー２８を筐体頭部２４に挿入する。次いで、圧縮ばね６０を取り付けたチゼル先端５８を嵌合チューブ３６に挿入する(図１１、図１２及び図１６)。チゼル先端５８が接合部７３の接合空洞７１に正確に嵌合するようにする。次に、図１３〜図１５を参照すると、荷重ねじ溝６５が荷重ナット６４を越えて５ねじ山分突出するまで、荷重ナット６４を荷重ねじ６６上にねじ込み、次いで、スペーサー荷重ナット６４を取付けた荷重ねじ６６を、ばねスペーサー設定ねじ６８を使用してばねスペーサー６２に接合させることによって、ばねスペーサー荷重ナット６４、荷重ねじ６６及びばねスペーサー６２を螺合する。（図１３及び図１４)。図６Ｃ、図６Ｄ、及び図１４を参照すると、荷重ねじ６６は、ばねスペーサー６２の溝つき開口７４に挿入され、ばねスペーサー設定ねじ６８を用いて、ねじ孔７６を通して取付けられる。次に図１５及び１７を参照すると、取付けた荷重ねじ６６、ばねスペーサー荷重ナット６４を嵌合チューブ３６に挿入し、荷重ナット設定ねじ７２を使用して孔７０を通して嵌合チューブ３６に荷重ナット６４を取付ける。次に、嵌合チューブ３６において、ばねスペーサーの主ねじ孔７８と主スロット９２とを合わせ、及び設定主ねじ９４をスロット９２を通してばねスペーサー６２の主ねじ孔７８に挿入する。この作業が完了すると（図１８及び図１９参照）、下脚チューブ３８は、嵌合チューブ３６を覆って挿入され、その上にパッド２６が置かれる。下脚チューブ３８は、孔４２にラッチ４０を取付けることで嵌合チューブ３６に接合する。尚、図１４は、図１３の１４−１４線断面図であり、図１８は、スロット９２及び設定主ねじ９４の拡大図を示し、図１９は、図１８の副子を１８０度回転した図である。
【００１９】
また、当然のことながら、調節可能なばね荷重機構は、下部支柱、上部支柱のどちらにでも提供可能である。
理論的には、下部支柱を調節可能とした場合、上部支柱の長さは固定可能である。
調整副子に用いられる支柱は、好ましくはステンレス鋼であるが、当業者に理解されるように、十分な長さの他の材料が使用可能である。
更に、本明細書中の支柱はチューブ状であるが、正方形又は長方形等の他の構造も使用可能である。
【００２０】
本発明の調整副子装置は、膝はもちろん、他の体関節にも適用可能であり、曲げの限界を超えて膝を伸ばすことで関節の伸びを和らげる能力を有する段階的かつ定量された、調節可能な張力を形成することができる。これにより、ばね張力の調整を妨げずに、かつ副子を取り外すことなく、ストレッチする組織を休息させることができる。拘縮した組織への圧力を軽減するためには、何らかの方法で副子の張力を打ち負かして、楽な姿勢に関節を伸ばすだけでよい。さらに関節がより大きい範囲で動かせるように、拘縮した組織に対して小休憩後に副子の張力を再度作用させてもよい。
【００２１】
拘縮を軽減するための調整副子装置を適用及び使用するための一般的な指示は次の通りである。
１）  大腿部の後ろ、及びふくらはぎをカフ内に横たえる。窓及び目盛りを有するより大きいチューブは、下脚に沿って位置させる。
２）  カムを膝の両側に均等に揃え、チューブを脚の側部の中央にぴったりと合わせる。
３）  大腿部及び脚に対するベルクロ（Ｒ）カフ及び反力ストラップを、カフと脚の間に指１本がスライド可能な程度の締付けで適切に適用する。
４）  使用の際には、脚はぶら下げるべきではない。ベッドに横たえるか、又は副子を装着した脚を支持及び持ち上げる。
５）  患者には、最長時間可能な最低限の許容張力設定で装置を装着させる。
明らかに、本発明の基本精神から逸脱せずに多くの変更がなされるであろう。従って、発明は当業者により添付の請求の範囲内で、本明細書に詳細を記載した以外にも実施しうることは当然のことである。
【図面の簡単な説明】
【００２２】
【図１】図１は、本発明の拘縮を軽減するための調整副子装置の斜視図である。
【図２】図２は、先行技術の調整副子の斜視図である。
【図３】図３は、本発明の調整副子の斜視図である。
【図４】図４は、本発明の拘縮を軽減するための調整副子装置の分解組立図である。
【図５Ａ】図５Ａ〜５Ｆは、下部支柱の下脚チューブ及び内嵌チューブを説明する図である。図５Ａは、下脚チューブ、下部内嵌チューブ、及びばねスペーサーの目盛りを示す斜視図である。
【図５Ｂ】図５Ｂは、下部内嵌チューブの図である。
【図５Ｃ】図５Ｃは、下部内嵌チューブの図である。
【図５Ｄ】図５Ｄは、下部内嵌チューブの図である。
【図５Ｅ】図５Ｅは、下脚チューブの５Ｅ−５Ｅ点線断面図である。
【図５Ｆ】図５Ｆは、下脚チューブの正面平面図である。
【図６Ａ】図６Ａ〜図６Ｄは、ばねスペーサーの詳細図である。図６Ａは、ばねスペーサーの斜視図である。
【図６Ｂ】図６Ｂは、ばねスペーサーの側面平面図である。
【図６Ｃ】図６Ｃは、ばねスペーサーの略図である。
【図６Ｄ】図６Ｄは、ばねスペーサーの略図である。
【図７Ａ】図７Ａは、嵌合ラッチを形成する部分の分解組立図である。
【図７Ｂ】図７Ｂは、下脚チューブに取付けられた嵌合ラッチの斜視図である。
【図８】図８は、本発明で使用される頭部及び張力機構の詳細図である。嵌合チューブの一部が張力機構部品を示すため破断されている。
【図９】図９は、調整副子を患者へ適用した図である。
【図１０】図１０は、調整副子における張力機構の部品を示す分解組立図である。
【図１１】図１１は、張力機構の組み立て方を描く図である。
【図１２】図１２は、張力機構の組み立て方を描く図である。
【図１３】図１３は、張力機構の組み立て方を描く図である。
【図１４】図１４は、張力機構の組み立て方を描く図である。
【図１５】図１５は、張力機構の組み立て方を描く図である。
【図１６】図１６は、張力機構の組み立て方を描く図である。
【図１７】図１７は、張力機構の組み立て方を描く図である。
【図１８】図１８は、張力機構の組み立て方を描く図である。
【図１９】図１９は、張力機構の組み立て方を描く図である。
【図２】
2007507297.tif 000003
【図４】
2007507297.tif 000004
【図５Ａ】
2007507297.tif 000005
【図５Ｂ】
2007507297.tif 000006
【図５Ｃ】
2007507297.tif 000007
【図５Ｄ】
2007507297.tif 000008
【図６Ａ】
2007507297.tif 000009
【図６Ｂ】
2007507297.tif 000010
【図６Ｃ】
2007507297.tif 000011
【図６Ｄ】
2007507297.tif 000012
【図７Ａ】
2007507297.tif 000013
【図８】
2007507297.tif 000014
【図９】
2007507297.tif 000015
【図１０】
2007507297.tif 000016
【図１３】
2007507297.tif 000017
【図１６】
2007507297.tif 000018
【図１７】
2007507297.tif 000019
【図１９】
2007507297.tif 000020
【図１】
2007507297.tif 000021
【図３】
2007507297.tif 000022
【図５Ｅ】
2007507297.tif 000023
【図５Ｆ】
2007507297.tif 000024
【図７Ｂ】
2007507297.tif 000025
【図１１】
2007507297.tif 000026
【図１２】
2007507297.tif 000027
【図１４】
2007507297.tif 000028
【図１５】
2007507297.tif 000029
【図１８】
2007507297.tif 000030
【国際調査報告】
2007507297.tif 000031